(57)【要約】【課題】  スライド式の移動端末機において、レンズブロックを第１筐体に配置するとともに前記レンズブロックと光軸を合わせたカメラブロックを第２筐体に配置しズーム機能を実現することにより、小型化、薄型化を実現した移動端末機を提供する。【解決手段】  通信機能とカメラ機能とを有する移動端末機において、レンズブロックＡを設けた第１筐体１と、スライド機構８、９により第１筐体１に対してスライドする第２筐体３とを備え、第２筐体３はレンズブロックＡと光軸を合わせた撮像素子を含むカメラブロックＢを設けた。【選択図】        図１
2005164883.tif 000002
【特許請求の範囲】
【請求項１】
通信機能とカメラ機能とを有する移動端末機において、
レンズブロックを設けた第１筐体と、スライド機構により第１筐体に対してスライドする第２筐体とを備え、該第２筐体は前記レンズブロックと光軸を合わせた撮像素子を含むカメラブロックを設けたことを特徴とする移動端末機。
【請求項２】
請求項１記載の移動端末機において、
上記第１筐体は、レンズブロックに光軸を屈曲する反射部材を設けて表示部の背面側を撮影可能とすることを特徴とする移動端末機。
【請求項３】
請求項１又は２に記載の移動端末機において、
上記第１筐体と第２筐体は、スライド機構によりスライドする際のクリックを設けたことを特徴とする移動端末機。
【請求項４】
請求項１又は２に記載の移動端末機において、
上記第１筐体と第２筐体は、スライド機構によりスライドする際、光軸を合せた状態を保持してなめらかに移動してズーム撮影を可能とすることを特徴とする移動端末機。
【発明の詳細な説明】
【技術分野】
【０００１】
本発明は、移動端末機であり、カメラ機能を搭載したスライド式の移動端末機に係り、特にスライド機構により光学倍率が変化する特性をもたせた移動端末機の技術に関する。
【背景技術】
【０００２】
近年、携帯電話等の移動端末機にカメラ機能を搭載したものが主流となっており、手軽に動画または静止画の撮影を可能としている。
【０００３】
また、表示側の筐体をスライドさせて操作ボタンを露出させるようなスライド式の携帯電話も登場しており、この表示側の筐体に撮像素子（カメラ）を搭載しカメラ機能を実現したものが現れてきた。（例えば、特許文献１参照）
【０００４】
ところで、移動端末機においては、小型化、薄型化が重要となっているが、カメラは所定の光学長を確保する必要があるため、この光学長を確保することが薄型化の重要なポイントの一つとなっている。
【０００５】
カメラ機能を搭載した携帯電話の薄型化の従来技術では、プリズムを使用し、光軸を筐体の長手方向へ屈曲させて光学長を確保し薄型化を図っている。（例えば、特許文献２参照）
【０００６】
さらに、最近では光学倍率を変化させられるズーム機能を搭載することが注目されている。このズーム機能を搭載した薄型化の従来技術では、反射部材を使用し、光軸を筐体の長手方向へ屈曲させて光学長を確保しさらにモータ駆動によりレンズ等の光学素子を移動してズーム機能を実現しながら薄型化を図っている。（例えば、特許文献３参照）
【特許文献１】特許２００３−１１０６７５号公報
【特許文献２】特許２００３−２１９２２９号公報
【特許文献３】特許２００１−１２８０３８号公報
【発明の開示】
【発明が解決しようとする課題】
【０００７】
上記したように移動端末機においては薄型化が重要であるが、上記特許文献１記載の従来技術では、カメラの光軸は筐体の厚み方向のため薄型化を図りづらいという問題があった。
【０００８】
また、上記特許文献２記載の従来技術では、薄型化には配慮されているが、スライド式の移動端末機の場合のカメラ部材の配置及びズーム機能を実現することに配慮されていないという問題があった。
【０００９】
一方、ズーム操作により光学倍率を変化させるには、移動端末機本体の中に数枚のレンズを組み込み、広角側ではレンズ同士を近接させ、望遠側ではレンズ同士を離し焦点距離を変化することで実現しているため、望遠側でのレンズ位置を考慮した光学長の中で、レンズを移動することが必要となる。上記特許文献３記載の従来技術では、このレンズの移動をモータによるメカ駆動もしくはアクチュエータによる電圧カム制御で実現している。このため、モータによるメカ駆動、電圧カム制御はともに多くの実装体積を要するために移動端末機本体のサイズに影響を与え、小型化、薄型化が図れないという問題があった。
【００１０】
本発明の目的は、小型化、薄型化を実現した移動端末機を提供することにある。
【課題を解決するための手段】
【００１１】
本発明は、上記の移動端末機本体の課題を解決するために、第１筐体と第２筐体をスライド機構によりスライドさせることが可能な移動端末機において、レンズブロックを前記第１筐体に配置するとともに前記レンズブロックと光軸を合わせた撮像素子を含むカメラブロックを前記第２筐体に配置することを特徴とする。この配置により、レンズブロックとカメラブロックを別々の筐体に分散配置し、小型化、薄型化が図れる。
【００１２】
さらに、前記第１筐体内に設けられた前記レンズブロック光軸を屈曲するための反射部材を設けることを特徴とする。この配置により、光軸を屈曲できるので、移動端末機の背面側から撮影する場合でも、筐体の長手方向に光軸を確保でき、薄型化が可能となるとともに表示装置を見ながらの撮影が可能となる。
【００１３】
また、第１筐体と第２筐体は、スライド機構によりスライドする際のクリックを設けたことを特徴とする。これにより、移動端末機を閉じた状態と移動端末機を伸ばした状態の間にて数箇所の光学倍率を容易に得ることができる。
【００１４】
さらに、前記スライド機構によりスライドする場合、前記光軸を合せた状態を保持することを特徴とする。これにより、スライド機構にてできた空間を利用してズーム機能を実現できるので、ズーム機構用のモータ等の部品を不要とし小型化、薄型化が可能となる。
【発明の効果】
【００１５】
本発明によれば、小型化、薄型化を実現した移動端末機を提供できる。
【発明を実施するための最良の形態】
【００１６】
本発明を実施するための最良の形態を説明する。
以下、本発明の移動端末機の一実施例の詳細について、図１から図３を用いて説明する。図１は、実施例の移動端末機の外観構成図である。図２は、実施例の移動端末機におけるスライド機構断面図である。図３は、実施例の移動端末機の内部構成図である。
【００１７】
実施例の移動端末機の使用形態について、図１を用いて説明する。図１に、外観構成図を示す。図１（ａ）は移動端末機を閉じた状態を表示装置側（以下、「表示面側」という）から見た外観構成図、図１（ｂ）は移動端末機を閉じた状態を表示面の反対側（背面側）から見た外観構成図、図１（ｃ）は移動端末機を伸ばした状態を表示面側から見た外観構成図、図１（ｄ）は移動端末機を伸ばした状態を背面側から見た外観構成図を示す。
【００１８】
第１筐体１にはカメラからの画像を表示する表示部である液晶２と複数枚のレンズで構成されるレンズブロックを保護するレンズパネル４とを設け、第２筐体３にはレンズ、撮像素子で構成されるカメラブロックを第２筐体３内部に有するとともに操作ボタン部５、電池パック６を設ける。又、第１筐体１のレンズブロックと第２筐体３のカメラブロックとを結ぶ光学間には防塵用に移動端末機のスライドに対応して伸縮するレンズ鏡筒７が設けられている。
【００１９】
図１（ａ）（ｂ）は広角側で撮影する時の状態を示しており、ユーザーはレンズパネル４を被写体に向け、液晶２を確認しながら光学倍率の低い広角で撮影する。また、図１（ｃ）（ｄ）は望遠側で撮影する時の状態を示しており、ユーザーは第２筐体３をスライドさせてレンズブロックとカメラブロック間の光学長を長くすることにより光学倍率の高い望遠で撮影できる。またこのとき、レンズ鏡筒７により、レンズ等の光学系の部品が露出しないようになっているので、埃等の付着やユーザーの指等の接触を防ぐことが可能となっている。
【００２０】
次に、スライド機構について、図２を用いて説明する。図２に本発明の移動端末機におけるスライド機構の一例の断面図を示す。第１筐体１の左右両側面にスライド用のガイド溝８を設け、第１筐体１両側面のスライド用のガイド溝８に両側より挟み込み嵌合させるガイドピース９を第２筐体３の左右両側面に設けることにより固定しレール機構をもたせ、スライドを可能としている。本レール機構により第２筐体３がスライドする方向とレンズブロックとカメラブロック間の光軸方向を略平行に配置し、レール機構であるガイド溝８とガイドピース９のガタつきをおさえ、スライドした状態でも第１筐体１と第２筐体３の傾きをなくすことにより光軸が合っているので、望遠で撮影することが可能となる。
【００２１】
次に、レンズブロック及びカメラブロックの配置の詳細について、図３を用いて説明する。図３に本移動端末機の内部構成の断面図を示す。図３（ａ）は移動端末機を閉じた状態、図３（ｂ）は移動端末機をスライドさせて伸ばしたときの状態を示す。
【００２２】
第１筐体１内にカメラの光学系であるレンズブロックＡを、第２筐体３内にカメラブロックＢをそれぞれ設ける。
【００２３】
レンズブロックＡの構成は、被写体からの光線の取り込み順に、保護用のレンズパネル４に近接するカメラレンズａ、液晶を確認しながら撮影する目的にて画像を液晶２と略垂直方向に向けるためのミラーｂ、ミラーｂにて屈曲した光線を第２筐体３に導くカメラレンズｃとなっている。また、カメラブロックＢの構成はカメラレンズｃからの光線を取り込むカメラレンズｄ、カメラモジュールｅとなっている。ここで、被写体からの光線をカメラレンズａから取り込んでカメラモジュールｅに導く光線の方向である光軸は、閉じた状態、伸ばした状態及びその途中の状態でも合せており、焦点距離が変わることにより光学倍率を変更できる。反射部材ｂにより、表示部２の背面側を撮像することができる。
【００２４】
通常は、移動端末機を図１（ａ）（ｂ）のように移動端末機を閉じた状態にて携帯されており、このときは第１筐体１内のカメラレンズｃと第２筐体２内のカメラレンズｄが図３（ａ）のように近接されている。このため、光学長は短くなるので光学倍率は小さくなり、レンズの光学特性は広角側となっている。
【００２５】
ズーム機能で望遠側にて撮影しようとする時には、第１筐体１のガイド溝８と第２筐体３のガイドピース９とのレール機構により、移動端末機の第１筐体１をスライドさせ、図１（ｃ）（ｄ）のように移動端末機を伸ばした状態とし、第１筐体１内のカメラレンズｃと第２筐体３内のカメラレンズｄが図３（ｂ）のように離れるため、光学長は長くなるので光学倍率は大きくなり、レンズの光学特性は望遠側となる。
【００２６】
又、第１筐体１のガイド溝８と第２筐体３のガイドピース９のレール機構のスライド範囲内に数箇所のクリックをもたせることにより、移動端末機を閉じた状態と移動端末機を伸ばした状態の間にて数箇所の光学倍率を容易に得ることができる。例えば、１倍、２倍、３倍となる位置にクリックを設ければよい。
【００２７】
以上により、スライド機構にて出来た空間を利用して光学倍率の変化を可能とさせており、液晶と垂直方向に光線を屈曲させ液晶を確認しながらの撮影を可能とさせている。
【図面の簡単な説明】
【００２８】
【図１】実施例の移動端末機の外観構成図。
【図２】実施例の移動端末機におけるスライド機構断面図。
【図３】実施例の移動端末機の内部構成図。
【符号の説明】
【００２９】
１  第１筐体
２  液晶
３  第２筐体
４  レンズパネル
５  操作ボタン部
６  電池パック
７  レンズ鏡筒
８  ガイド溝
９  ガイドピース
Ａ  レンズブロック
Ｂ  カメラブロック
ａ  カメラレンズ
ｂ  ミラー
ｃ  カメラレンズ
ｄ  カメラレンズ
ｅ  カメラモジュール
【図１】
2005164883.tif 000003
【図２】
2005164883.tif 000004
【図３】
2005164883.tif 000005